(57)【要約】【課題】様々な解像度の表示装置を備える映像システムの構築を実現し得る、ビデオチャンネル切換表示装置を提供する。【解決手段】遠隔のホストコンピュータからＬＡＮケーブル１１１を介して送信されて来る制御コマンドをネットワーク部１１は受信し、データ処理部１２は制御コマンド２の認識を行なう。データ処理部１２が認識した処理内容が映像出力制御の場合、描画部１３は制御コマンド２に従いディジタル映像の描画を行ない、信号出力部１４は映像信号出力を行なう。他方、認識した処理内容がビデオチャンネル切換制御の場合、データ処理部１２は制御コマンド２に従いリモコン部１５を制御し、同部１５は受光部１７にＴＶモニタ制御信号を出力し、ＴＶモニタ１６は、CATV網で配信されるアナログ映像信号の入力端Ｔ１と、装置１が出力する映像出力信号の入力端Ｔ２とを切替える（ビデオチャンネル切換）。【選択図】図１
2005142700.tif 000002
【特許請求の範囲】
【請求項１】
遠隔のホストコンピュータよりＬＡＮケーブル経由で送信される制御コマンドを受信するネットワーク部と、
前記ネットワーク部で正常に受信した前記制御コマンドに含まれる制御種別、制御内容及び制御詳細を抽出した上で前記制御種別の識別を行い、（１）前記制御種別が映像表示制御の場合には、前記制御コマンドの前記制御内容の識別、前記制御詳細の識別及びデータ部の有無に基づき、制御対象のＴＶモニタの種別に応じてディジタル文字映像信号を前記ＴＶモニタに出力する一方、（２）前記制御種別がＴＶモニタ制御の場合には、前記制御コマンドの前記制御内容の識別及び前記制御詳細の識別に基づき、前記ＴＶモニタのビデオ入力チャンネルの切換制御を行なう制御信号を生成して前記ＴＶモニタに出力する回路手段とを備えていることを特徴とする、
ビデオチャンネル切換表示装置。
【請求項２】
請求項１記載のビデオチャンネル切換表示装置であって、
前記ＴＶモニタは、パーソナルコンピュータで本来的に制御可能な、インタフェースを有する制御ポートを更に備えており、
前記回路手段は、（３）前記制御種別が前記ＴＶモニタの前記インタフェースの制御を示すインタフェース種別である場合には、前記制御コマンドを前記インタフェース種別に応じたプロトコルに変換した上で、変換後の前記プロトコルに基づき前記ＴＶモニタの前記インタフェースを制御するための制御信号を生成して前記インタフェースへ出力することを特徴とする、
ビデオチャンネル切換表示装置。
【請求項３】
請求項１又は２に記載の前記ビデオチャンネル切換表示装置における前記ホストコンピュータに該当する制御コマンド送信装置であって、
制御対象及び制御内容を選択することで、請求項１又は２に記載の前記ビデオチャンネル切換表示装置が取り扱える前記制御コマンドを生成し、当該制御コマンドを前記ＬＡＮケーブルで送出することを特徴とする、
制御コマンド送信装置。
【請求項４】
請求項３に記載の前記制御コマンド送信装置により前記制御コマンドの送出を行ない、施設内に点在した請求項１又は２に記載の前記ビデオチャンネル切換表示装置において前記制御コマンドを受信して、ディジタル映像の描画・信号出力、又は、当該ビデオチャンネル切換表示装置に接続されたＴＶモニタに入力するディジタル映像とアナログ映像との切換を行なうことを特徴とする、
映像システム。
【発明の詳細な説明】
【技術分野】
【０００１】
この発明は、例えばオッズ画面等のディジタル文字映像と実況映像等の映像とをスケジュールに基づき複数の表示装置に対して表示制御する映像情報システムにおいて、ＴＶモニタに表示するビデオ入力チャンネルを切換制御する技術に関している。
【背景技術】
【０００２】
チャンネル切換制御を行なう従来の映像システムとしては、リモコンが、制御装置からの制御信号を受けて、メイン映像・音声伝送用チューナーとデータ放送伝送用チューナーとに連動して受信チャンネル設定を行なわせると共に、データ放送用チューナーにおけるデータ放送信号中のデータ内容の切換操作を行なうと言う方法が、提案されている。（例えば、特許文献１参照）
【０００３】
【特許文献１】特開２００２−２４７５４６号公報（図２）
【発明の開示】
【発明が解決しようとする課題】
【０００４】
上記従来の技術は、映像を送出するヘッドエンド装置のチャンネル切換制御であり、映像システム内の各ＴＶモニタに対して表示映像を自由に設定したい場合、原則として１つのＴＶモニタに対してヘッドエンド装置から送出される１つのチャンネルを割当てる必要がある。その為、ＴＶモニタが多数存在する大規模な映像システムの場合には、多数のチャンネルを送出できる高価なヘッドエンド装置が必要となり、システム導入における費用負担が大きいと言う問題点がある。
【０００５】
ところで、近年、公営競技では新賭式を導入し、その結果、オッズ画面に表示する情報量が飛躍的に増加した。この新賭式表示への対応としては、映像システム内のＴＶモニタ設置数を増やすことが考えられるが、そうすると、ＴＶモニタ設置台数の増加に伴う上記システム導入費用の増大と言う問題点が生じることに加えて、ＴＶモニタの設置スペースと言う新たな問題点が更に生じてしまう。その為、プラズマディスプレイパネル（以下、ＰＤＰと簡略する）等の、高解像度表示が可能なＴＶモニタによって、１画面で多くの情報を表示することが望ましく、様々な解像度の表示装置を有する映像システムの構築が望まれている。
【０００６】
ところが、上記の従来技術においては、ディジタル文字映像や実況映像等の映像種別に関わらずビデオ解像度で配信していた為、様々な解像度を配信する映像システムを構築することが困難であった。
【０００７】
この発明は上記の様な問題点を解決するためになされたものであり、オッズ画面等のディジタル文字映像を様々な解像度で描画・表示すると共に、ＴＶモニタに表示するビデオ入力チャンネルを切換制御するビデオチャンネル切換表示装置を得ることを、その目的とする。
【課題を解決するための手段】
【０００８】
本発明に係るビデオチャンネル切換表示装置は、遠隔のホストコンピュータよりＬＡＮケーブル経由で送信される制御コマンドを受信するネットワーク部と、前記ネットワーク部で正常に受信した前記制御コマンドに含まれる制御種別、制御内容及び制御詳細を抽出した上で前記制御種別の識別を行い、（１）前記制御種別が映像表示制御の場合には、前記制御コマンドの前記制御内容の識別、前記制御詳細の識別及びデータ部の有無に基づき、制御対象のＴＶモニタの種別に応じてディジタル文字映像信号を前記ＴＶモニタに出力する一方、（２）前記制御種別がＴＶモニタ制御の場合には、前記制御コマンドの前記制御内容の識別及び前記制御詳細の識別に基づき、前記ＴＶモニタのビデオ入力チャンネルの切換制御を行なう制御信号を生成して前記ＴＶモニタに出力する回路手段とを備えていることを特徴とする。
【０００９】
以下、この発明の主題の様々な具体化を、添付図面を基に、その効果・利点と共に、詳述する。
【発明の効果】
【００１０】
この発明によれば、ホストコンピュータよりＬＡＮケーブル経由で送信される制御コマンドに基づき、１）ディジタル文字映像を受信・描画して、ＴＶモニタの解像度に応じた映像をＴＶモニタに出力することができると共に、２）ＴＶモニタに入力する信号を受信するビデオチャンネルを自由に切換制御することも出来るので、ＴＶモニタの遠隔制御を可能にすると言う効果がある。その為、本ビデオチャンネル切換表示装置を利用すれば、様々な解像度を含んだ表示装置を持つ映像システムの構築が可能となる。
【発明を実施するための最良の形態】
【００１１】
（実施の形態１）
本実施の形態に係るビデオチャンネル切換表示装置の特徴点は、次の点にある。先ず、本装置は、遠隔のホストコンピュータよりＬＡＮケーブル経由で送信される制御コマンドを受信し、正常に受信した制御コマンドに含まれる制御種別、制御内容及び制御詳細を抽出した上で制御種別の識別を行い、（Ａ）制御種別が映像表示制御の場合には、制御コマンドの制御内容の識別、前記制御詳細の識別及びデータ部の有無に基づき、制御対象のＴＶモニタの種別に応じてディジタル文字映像信号をＴＶモニタに出力する。即ち、ＴＶモニタがビデオ信号を扱うことが出来るタイプの場合には、制御コマンドのデータ部におけるバイナリデータをビデオ信号としてＴＶモニタに出力する一方、ＴＶモニタがＰＤＰテレビの様にアナログのＲＧＢ信号しか扱うことが出来ないタイプの場合には、データ部におけるバイナリデータを一旦ＲＧＢ信号に変換した上で、当該ＲＧＢ信号をＴＶモニタに出力する。尚、制御コマンドのデータ部にバイナリデータが存在しない場合には、そのときにはＴＶモニタの画面は全体が白色又は黒色の画面となるので、白色画面又は黒色画面に応じた固定パターンを自ら生成しＴＶモニタに出力する。これに対して、（Ｂ）制御種別がＴＶモニタ制御の場合には、本装置は、制御コマンドの制御内容の識別及び制御詳細の識別に基づき、ＴＶモニタのビデオ入力チャンネルの切換制御を行なう制御信号を生成してＴＶモニタに出力する。以下、本実施の形態の具体化例を図面に基づいて説明する。
【００１２】
図１は、本実施の形態に係るビデオチャンネル切換表示装置１の構成を、同装置１によって制御されるＴＶモニタ１６と共に示すブロック図である。図１において、ネットワーク部１１は、遠隔のホストコンピュータ（図１においては図示せず：例えば後述する図５の装置４に該当）からＬＡＮケーブル１１１経由で送信されて来る制御コマンド（制御データとも言う）２を受信し、次段のデータ処理部１２は、ネットワーク部１１において正常に受信された制御コマンド２の認識を行なう。
【００１３】
ここで、本装置１で扱うことが出来る制御コマンド２の形式を、図２に示す。制御コマンド２は、１２８bitのコマンド部２１と、可変長のデータ部２２とから、構成されている。この内、コマンド部２１は、１）制御データ２を正常に受信できたかどうかを識別する為のコマンド長２３、２）制御コマンド２がどの様な種類の制御かを識別するための制御種別２４、３）どの様な制御を行なうかを識別するための制御内容２５、４）制御内容２５に対するパラメータである制御詳細２６から、構成されている。そして、制御種別２４は、例えばビデオ入力チャンネル切換等のＴＶモニタ制御やディジタル文字映像の描画・信号出力制御等の、制御種別を表すコードであり、制御内容２５及び制御詳細２６は、制御種別２４に対する制御詳細を示すパラメータである。又、データ部２２は、ＴＶモニタ１６に表示するディジタル文字映像のイメージデータであるバイナリデータ２７である。
【００１４】
データ処理部１２において認識した処理内容が映像出力制御（映像表示制御）である場合には、描画部１３は、認識した制御コマンド２に基づきディジタル文字映像の描画を行ない、信号出力部１４は、ディジタル文字映像信号１２１を、ＴＶモニタ１６の第２ビデオ入力端子Ｔ２へ出力する。その際、信号出力部１４は、ＴＶモニタ１６の種別に応じて、即ち、ＴＶモニタ１６がアナログＲＧＢ信号を受信可能なタイプか、それとも、ビデオ信号しか受信出来ないタイプか（この場合には信号出力部１４自身がアナログＲＧＢ信号をビデオ信号に変換する）に応じて、ビデオ信号又はアナログＲＧＢ信号を出力することが出来、アナログＲＧＢ信号を生成・出力するときには、同回路部１４は、当該アナログＲＧＢ信号の解像度を、同部１４内に予め設定されている当該ＴＶモニタ１６の解像度に等しい値に設定する。
【００１５】
これに対して、データ処理部１２において認識した処理内容がビデオチャンネル切換等のＴＶモニタ制御に該当する場合には、テレビの付属品であるリモートコントローラと同等の機能を呈する回路であるリモコン部１５は、データ処理部１２で認識した制御コマンド２に従い、ＴＶモニタ１６の受光部１７に対して、ＴＶモニタ制御信号を出力する。ここで、制御対象以外のＴＶモニタに対して影響を与えない様にする為に、オプティカルファイバーチューブ等の光ガイドで、リモコン部１５が出力する上記制御信号を制御対象のＴＶモニタ１６の受光部１７の近傍まで導くと言う処置を行なう。
【００１６】
又、ＴＶモニタ１６は、リモコン受光部１７とＴＶチューナー１８とを有するＴＶモニタであり、遠隔のホストコンピュータから送られて来る制御コマンド２に応じてビデオチャンネル切換表示装置１が描画・信号出力するビデオ信号（又はＲＧＢ信号）１２１を、第２ビデオ入力端子Ｔ２より、ＴＶモニタ１６内に入力する一方、ＣＡＴＶ網で配信される実況映像の信号（ＲＦ信号）１２２を、第１ビデオ入力端子Ｔ１より、ＴＶモニタ１６内に入力する。そして、リモコン受光部１７が、遠隔のホストコンピュータによって同様に遠隔制御されたリモコン部１５から出力されるビデオチャンネル切換のＴＶモニタ制御信号を受信すると、ＴＶモニタ１６自身は、当該制御信号の指令に応じて、第１及び第２ビデオ入力端子Ｔ１，Ｔ２間の切換えを行う。
【００１７】
次に、本実施の形態に係るビデオチャンネル切換表示装置１の動作を、同装置１のフローチャートである図３を参照しつつ、説明する。図３において、ネットワーク部１１は、遠隔のホストコンピュータよりＬＡＮ経由で送信されて来た制御コマンド２を受信する（ステップＳ１）。ネットワーク部１１は、ステップＳ１において受信した制御コマンド２が正しく受信できたかどうかを判別する為、コマンド部２１からコマンド長２３を抽出し（ステップＳ２）、実際に受信した制御コマンド２のデータ長との比較を行なう（ステップＳ３）。ステップＳ３の結果、受信した制御コマンド２のデータ長とステップＳ２で抽出したコマンド長２３とが一致しなければ、ネットワーク部１１は、制御コマンド２が正しく受信できていないと判断して、ホストコンピュータに対して制御コマンド２の再送信を要求し（ステップＳ４）、再び制御コマンド２を受信する。
【００１８】
ネットワーク部１１が、ステップＳ３の結果、ステップＳ１において受信した制御コマンド２が正しく受信できたことを認識すると、データ処理部１２は、コマンド部２１より制御種別２４、制御内容２５及び制御詳細２６をそれぞれ抽出する（ステップＳ５）。ここで、コマンド部２１は、図２に示す様に、固定のデータ長で構成されているので、コマンド部２１から上位３２bitづつ取り出すことにより、データ処理部１２は、制御種別２４、制御内容２５及び制御詳細２６を抽出する。次に、データ処理部１２は、ステップＳ５で抽出した制御種別２４がＴＶモニタ制御なのか、それとも映像表示制御なのかを、識別する（ステップＳ６）。
【００１９】
ステップＳ６において識別した制御種別２４がＴＶモニタ制御であった場合には、データ処理部１２は、ステップＳ５で抽出した制御内容２５と制御詳細２６とを識別する（ステップＳ７）。制御内容２５は、例えば、ビデオチャンネルの切換制御や、ＴＶモニタ１６の電源ＯＮ／ＯＦＦ等の制御である。又、制御詳細２６は、例えば1秒後に制御内容２５を実行する等の、制御内容２５についてのパラメータである。リモコン部１５は、ステップＳ７において識別した制御内容２５及び制御詳細２６に応じて、ＴＶモニタ１６の受光部１７に対して制御信号を出力して、ＴＶモニタ１６のチャンネル制御あるいは電源制御等のＴＶモニタ制御を行なう（ステップＳ８）。
【００２０】
他方、ステップＳ６において識別した制御種別２４が映像表示制御であった場合には、データ処理部１２は、ステップＳ５で抽出した制御内容２５と制御詳細２６とを、識別する（ステップＳ９）。この場合の制御内容２５は、例えばデータ部２２内のバイナリデータとして送信されるディジタル画像イメージの表示や、表示中画面のクリア等の映像表示制御である。又、制御詳細２６は、例えばクロール、ワイプ等の表示効果等であり、表示制御内容２５についてのパラメータである。次に、データ処理部１２は、データ部２２が存在するか否かを識別し（ステップＳ１０）、データ部２２が存在する場合には、データ処理部１２は、バイナリデータ２７の抽出を行なう（ステップＳ１１）。描画部１３は、ステップＳ５，Ｓ９で抽出・識別した制御内容２５及び制御詳細２６、並びに、ステップＳ１１で抽出したバイナリデータ２７に応じて、ディジタル映像の描画を行ない（ステップＳ１２）、信号出力部１４は、描画した映像の出力制御を行なう（ステップＳ１３）。尚、ステップＳ１０においてデータ部２２が存在しないと判断されたときには、上記した通り、描画部１３は、ステップＳ１２において、白色画面表示あるいは黒色画面表示（何れであるかは制御コマンド２の情報から知り得る）を与える固定パターンのディジタル映像の描画を行なう。
【００２１】
以上の様に、ビデオチャンネル切換表示装置１は、遠隔のホストコンピュータより送信されて来る制御コマンド２に従い、ディジタル文字映像の描画・生成を行えると共に、ＴＶモニタ１６に入力する映像チャンネルを自由に切換制御することが出来る。換言すれば、同装置１は、１）ディジタル文字映像の描画・生成機能と、２）モニタのリモコン機能とを、ＬＡＮを介したホストコンピュータによる遠隔制御を通じて達成し得る。
【００２２】
（実施の形態２）
本実施の形態の特徴点は、外部のパーソナルコンピュータで以ってインタフェースを介してＴＶモニタを制御する際の、当該パーソナルコンピュータの制御機能を、実施の形態１に係るビデオチャンネル切換表示装置に備えさせた点にある。従って、本実施の形態に係るビデオチャンネル切換表示装置は、制御コマンドの制御種別がＴＶモニタのインタフェースの制御を示すインタフェース種別である場合には、制御コマンドをインタフェース種別に応じたプロトコルに変換した上で、変換後のプロトコルに基づきＴＶモニタのインタフェースを制御するための制御信号を生成してインタフェースへ出力する機能を呈する。以下、図面に基づき、本実施の形態を詳述する。
【００２３】
図４は、本実施の形態に係るビデオチャンネル切換表示装置３を示すブロック図である。尚、図４において、図１と同一符号の構成要素は同一のものを示す。図４のＴＶモニタ１６は、ＲＳ２３２Ｃ等のインタフェースを有する制御ポート３３を更に備えており、本装置３は、従来においては制御ポート３３の上記インタフェースと接続されていた外部機器（例えばパソコン）の制御機能を、当該外部機器に代わって有している。その追加機能を担う回路部が、同装置３の両回路部３１，３２である。従って、本装置３もまた、実施の形態１において既述した通りに、ＬＡＮケーブル１１１を経由して送信されて来る制御コマンド２をネットワーク部１１で受信し、データ処理部１２において受信した制御コマンド２の認識を行なう。
【００２４】
本実施の形態で取り扱うことが出来る制御コマンド形式は、図２に示す制御コマンド２と同様の体系であり、制御種別２４は例えばＲＳ２３２Ｃ等の制御を行なうインタフェース種別であり、制御内容２５は当該制御内容を示しており、制御詳細２６は制御内容２５に対するパラメータとなる。
【００２５】
データ処理部１２において認識した処理内容がインタフェース制御であった場合には、プロトコル変換部３１は、制御コマンド２を、制御種別２４に示されたインタフェース種別に応じたプロトコルに変換し、制御実行部３２に送信する。制御実行部３２は、制御種別２４で示されるインタフェースに対して、プロトコル変換部３１より渡された制御を実行する。ここで、本装置３が制御すべきＴＶモニタ１６が保有するインタフェースは、ＲＳ２３２Ｃ、Ｉ／Ｏ、あるいはＵＳＢである。
【００２６】
本装置３を使用することにより、ホストコンピュータより送信されて来る制御コマンド２に従い、１）ディジタル文字映像の描画・生成あるいは２）ビデオチャンネル切換制御を行うことが出来ると共に、３）本装置３とＲＳ２３２Ｃ等の制御インタフェースを持つＴＶモニタ１６とを接続することにより、パソコン制御に代わるＴＶモニタ１６の遠隔制御を行うことが可能となる。
【００２７】
（実施の形態３）
本実施の形態に係る制御コマンド送信装置は、実施の形態１又は２において既述したホストコンピュータ（例えばパソコン）を成すものであり、例えば後述する図６における装置５１に相当している。そこで、以下においては、図６の構成を念頭に置きつつ、図５に基づいて、本実施の形態に係る制御コマンド送信装置の構成・動作を記載する。
【００２８】
図５は、制御コマンド送信装置４の構成を示すブロック図であり、制御コマンド送信装置４は、実施の形態１及び実施の形態２のビデオチャンネル切換表示装置１，３で取り扱える制御コマンド２を作成した上で、当該制御コマンド２を、複数のビデオチャンネル切換表示装置の内で対応するビデオチャンネル切換表示装置へ送信する。
【００２９】
図５において、端末データ４１は、本装置４より制御コマンドを送信する先の、全てのビデオチャンネル切換表示装置の番号ないしは名前とそのＩＰアドレス、及び、各ビデオチャンネル切換表示装置に設定されている解像度の情報を登録したデータベースであり、ユーザ又は管理者等が予めこれらのデータを登録する。
【００３０】
装置・制御内容選択部４２は、例えばパソコンの入力手段に該当する部分であり、タイマを備えている。そして、同部４２は、制御を行なうべきビデオチャンネル切換表示装置の番号とその制御内容、表示を行なうイメージデータの選択、及び、制御コマンドの送信を行なうタイミングを設定するための画面を、例えばパソコンのモニタ（表示部ないしは画面部）に表示しており、ユーザ及び管理者がこれらの選択を行なう。制御コマンドの送信を行なうタイミングの設定は、例えば時間指定や外部ホストコンピュータから送信されるキュー情報等を指定することで行われる。
【００３１】
アドレス抽出部４３は、装置・制御内容選択部４２で選択されたビデオチャンネル切換表示装置の番号に対応するＩＰアドレスを、端末データ４１より自動的に抽出する。制御種別発生部４４は、装置・制御内容選択部４２の選択に従い制御種別コードを自動的に発生し、制御内容発生部４５は、上記選択に従い制御内容コードを自動的に発生し、制御詳細発生部４６は、上記選択に従い制御詳細コードを自動的に発生する。バイナリデータ発生部４７は、選択されたビデオ切換表示装置に設定されている解像度を端末データ４１より自動的に抽出し、選択されたイメージデータをその解像度に自動的に変換する。制御コマンド発生部４８は、上記の各部４３〜４７で発生したコード、データに基づきデータ長を発生し、図２に示す形式の制御コマンド２を生成する。
【００３２】
上記タイマが装置・制御内容選択部４２で指定されたタイミングを検出すると、同部４２はクロックを制御コマンド送信部４９に送信し、その送信タイミングに同期して、制御コマンド送信部４９は、制御コマンド発生部４８で生成した制御コマンド２を、アドレス抽出部４３で抽出したＩＰアドレスのビデオチャンネル切換表示装置に、ＬＡＮケーブル１１１経由で送信する。
【００３３】
例えば制御コマンド送信装置４を公営競技場の映像システム内で使用する場合、１日の運用分の端末番号（ビデオチャンネル切換表示装置の番号）、制御内容、タイミングの制御情報を、装置・制御内容選択部４２により予め作成する。制御コマンド送信装置４は、設定されたタイミングになると、予め指定されたビデオチャンネル切換表示装置のＩＰアドレスに対して、予め指定した制御コマンドを送信し、当該ビデオチャンネル切換表示装置の制御を行なう事が出来る。
【００３４】
（実施の形態４）
図６は、本実施の形態に係る映像システムの一例を示すブロック図である。本映像システムは、実施の形態１に係る図１のビデオチャンネル切換表示装置１と、実施の形態３に係る図５の制御コマンド送信装置４とを使用して構築されている。
【００３５】
図６において、ビデオシステム５４、ＴＶモニタ５３１及び映像ケーブル（ＣＡＴＶ網）は、従来の映像システムの共聴設備である。この従来型映像システムの共聴設備に対して、図６に示す制御コマンド送信装置５１（図５参照）、ビデオチャンネル切換表示装置５２１〜５２３（図１参照）、及びＬＣＤ，ＰＤＰ等の高解像度出力が可能なＴＶモニタ５３２、５３３を追加することにより、ＴＶモニタ５３１のビデオ解像度（ＶＧＡ）以上のディジタル映像を表示する映像システムの構築が可能となる。
【００３６】
次に、図６の映像システムの表示制御例について記載する。図６の映像システムにおいて、制御コマンド送信装置５１で以って遠隔制御を行なうべき各ビデオ切換表示装置５２１〜５２３の（端末）番号、ＩＰアドレス、及び解像度を、図５の端末データ４１内に予め登録する。例えば、ビデオチャンネル切換表示装置５２１〜５２３の解像度がそれぞれＶＧＡ、ＳＶＧＡ、ＸＧＡに設定されている場合には、制御コマンド送信装置５１の端末データ４１に対して、それぞれのビデオチャンネル切換表示装置の番号、解像度、及びＩＰアドレスの設定を予め行なう。
【００３７】
又、制御を行なうべきビデオチャンネル切換表示装置５２１〜５２３の（端末）番号と制御内容、及び制御を行なうタイミングを、予め作成する。例えば、１５：００にＣＡＴＶ網で配信される実況映像をＴＶモニタ５３１に表示する場合、ビデオチャンネル切換表示装置５２１の制御内容として、チャンネル切換制御を指定する。又、１５：１０にＴＶモニタ５３２，５３３にオッズ画面（ディジタル文字映像）を表示する様に、対応するビデオチャンネル切換表示装置５２２，５２３の番号等を予め選択する。
【００３８】
このとき、タイマ（図５）の時刻が１５：００になると、制御コマンド送信装置５１は、ビデオチャンネル切換表示装置５２１に、チャンネル切換制御を行なう制御コマンドを送信する。ビデオチャンネル切換表示装置５２１は当該制御コマンドを受信し、受信した制御コマンドに従いＴＶモニタ５３１のビデオチャンネル制御を行なう。又、時刻が１５：１０になると、制御コマンド送信装置５１は、ビデオチャンネル切換表示装置５２２、５２３に対して、それぞれオッズ画面表示を行なうための制御コマンドを送信する。送信する制御コマンド内のバイナリデータ部２７（図２）は、予め作成した端末データ４１に示された解像度のイメージデータを送信する為、ビデオチャンネル切換表示装置５２２にはＳＶＧＡサイズのイメージデータが、ビデオチャンネル切換表示装置５２３にはＸＧＡサイズのイメージデータが、それぞれ送信される。そして、ビデオチャンネル切換表示装置５２２、５２３は、制御コマンドを受信し、受信した制御コマンドに従いオッズ画面の表示を行なう。
【００３９】
以上の通り、実施の形態１で述べたビデオチャンネル切換表示装置と実施の形態３で述べた制御コマンド送信装置とを使用して本映像システムを構築することにより、様々な解像度の表示装置を持つ映像システムを構築することが出来る。
【００４０】
尚、実施の形態２で述べたビデオチャンネル切換表示装置と実施の形態３で述べた制御コマンド送信装置とを使用して同様の映像システムを構築することが出来ることは勿論である。
【００４１】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【図面の簡単な説明】
【００４２】
【図１】本発明の実施の形態１に係るビデオチャンネル切換表示装置の構成例を示すブロック図である。
【図２】本発明に係る制御データの形式を模式的に示す図である。
【図３】本発明の実施の形態１に係るビデオチャンネル切換表示装置の動作を示すフローチャートである。
【図４】本発明の実施の形態２に係るビデオチャンネル切換表示装置の構成例を示すブロック図である。
【図５】本発明の実施の形態３に係る制御コマンド送信装置の構成例を示すブロック図である。
【図６】本発明の実施の形態４に係る映像システムの構成例を示すブロック図である。
【符号の説明】
【００４３】
１，３，５２１，５２２，５２３  ビデオチャンネル切換表示装置、１１１  ＬＡＮケーブル、１２１  映像出力信号、１２２  実況映像信号（ＲＦ信号）、１１  ネットワーク部、１２  データ処理部、１３  描画部、１４  信号出力部、１５  ビデオチャンネル切換リモコン部、１６，５３１，５３２，５３３  ＴＶモニタ、１７，５５１，５５２，５５３  リモコン受光部、１８  チューナー、２  制御コマンド、２１  コマンド部、２２  データ部、２３  コマンド長、２４  制御種別、２５  制御内容、２６  制御詳細、２７  バイナリデータ、３１  プロトコル変換部、３２  制御実行部、３３  制御ポート、４，５１  制御コマンド送信装置、４１  端末データ（データベース）、４２  装置・制御内容選択部、４３  アドレス抽出部、４４  制御種別発生部、４５  制御内容発生部、４６  制御詳細発生部、４７  バイナリデータ発生部、４８  制御コマンド発生部、４９  制御コマンド送信部、５４  ビデオシステム、Ｔ１  第１入力端子、Ｔ２  第２入力端子。
【図１】
2005142700.tif 000003
【図２】
2005142700.tif 000004
【図３】
2005142700.tif 000005
【図４】
2005142700.tif 000006
【図５】
2005142700.tif 000007
【図６】
2005142700.tif 000008